(57)【要約】【課題】加熱効率が格段に向上し、効果的に融雪／融氷が行われ、同じ融雪／融氷効率では小型化を図ることができる融雪／融氷装置を提供する。【解決手段】燃焼源としてジェット炎を噴出するバーナー体１５を使用し、このジェット炎にて加熱筒体６と、加熱筒体６に螺旋状に配された中空状加熱筒体８を加熱して、湯沸室４内全体の水を加熱する。さらに燃焼室本体２，加熱筒体６，中空状加熱筒体８をセラミックス粉末により覆ったことにより、遠赤外線による加熱効果が得られるため、湯沸室４内全体の水を、即座に無駄なく効率的に加熱する。【選択図】図２
0003137552.tif 000002
【実用新案登録請求の範囲】
【請求項１】
湯沸室と加熱室を内部に設けた燃焼室本体と、前記燃焼室本体に設けられて前記加熱室内へ噴出炎を噴出する燃焼源と、前記加熱室に設けられて前記噴出炎を受ける加熱筒体と、前記加熱筒体の周部に螺旋状に配されて前記加熱筒体の熱を受ける中空状加熱筒体と、前記加熱筒体と前記中空状加熱筒体とにより加熱された前記湯沸室内の熱湯を外部に圧力を加えて送り出す圧力ポンプ体と、前記圧力ポンプ体により送り出された熱湯を外部へ噴出するノズル体と、前記圧力ポンプ体と前記ノズル体とを連結する送湯管とを具備し、さらに前記燃焼室と前記加熱筒体と前記中空状加熱筒体をセラミックス粉末により覆ったことを特徴とする融雪／融氷装置。
【請求項２】
前記中空状加熱筒体をフレキシブルな構造にしたことを特徴とする請求項１に記載の融雪／融氷装置。
【請求項３】
前記中空状加熱筒体を螺旋状にかつ多重に配置したことを特徴とする請求項１または２に記載の融雪／融氷装置。
【考案の詳細な説明】
【技術分野】
【０００１】  本考案は、雪および氷、あるいは、いずれか一方を融かすために用いられる融雪／融氷装置に関するものである。
【背景技術】
【０００２】  従来、古くから寒冷地においては雪あるいは氷を融かすために、人力を含めて多くの労力，費用をかけており、また人力以外にも、簡易にかつ効率的に融雪／融氷することを目的とする各種の装置が提案され、実施されている。【０００３】  例えば特許文献１には廃油使用による融雪処理装置が記載され、特許文献２には小型化を図ることを可能にする融雪装置が記載されている。
【特許文献１】実開昭６３−１６１９２０号公報
【特許文献２】特開２００３−１４７７４１号公報
【考案の開示】
【考案が解決しようとする課題】
【０００４】  前記従来の融雪装置では、一般的には水を加熱した湯を利用して、その熱により雪／氷を融かすものであるが、実際に効率的な融雪／融氷が行われるとはいえず、一般的使用されるまでには普及していない。この原因の一つとして、装置が大型であり、かつ水を加熱するための燃料費がかかるということにある。【０００５】  従来装置が大型になり、水を加熱するための燃料費がかかるということは、水に対する加熱効率が悪い構造に原因があるといえる。【０００６】  本考案の課題は、従来装置の持つ問題を解決し、加熱効率が格段に向上し、効果的に融雪／融氷が行われ、同じ融雪／融氷効率では小型化を図ることができる融雪／融氷装置を実現することである。
【課題を解決するための手段】
【０００７】  前記課題の解決するため、本考案の融雪／融氷装置は、湯沸室と加熱室を内部に設けた燃焼室本体と、前記燃焼室本体に設けられて前記加熱室内へ噴出炎を噴出する燃焼源と、前記加熱室に設けられて前記噴出炎を受ける加熱筒体と、前記加熱筒体の周部に螺旋状に配されて前記加熱筒体の熱を受ける中空状加熱筒体と、前記加熱筒体と前記中空状加熱筒体とにより加熱された前記湯沸室内の熱湯を外部に圧力を加えて送り出す圧力ポンプ体と、前記圧力ポンプ体により送り出された熱湯を外部へ噴出するノズル体と、前記圧力ポンプ体と前記ノズル体とを連結する送湯管とを具備し、さらに前記燃焼室本体と前記加熱筒体と前記中空状加熱筒体をセラミックス粉末により覆ったものである。【０００８】  また、前記中空状加熱筒体をフレキシブルな構造にするとよい。【０００９】  また、前記中空状加熱筒体を螺旋状にかつ多重に配置するとよい。
【考案の効果】
【００１０】  本考案の融雪／融氷装置は、燃焼源として噴出炎を噴出するものを使用し、この噴出炎を加熱筒体へ噴出して、この加熱筒体に螺旋状に設けられた中空状加熱筒体を加熱し、加熱筒体と中空状加熱筒体により湯沸室内全体の水を加熱する。これにより即座に無駄なく効率的に湯沸室内の水を加熱でき、さらに前記燃焼室本体，前記加熱筒体，前記中空状加熱筒体をセラミックス粉末により覆ったことにより、遠赤外線による加熱効果が得られるため、湯沸室内全体の水を、より即座に無駄なく効率的に加熱できることになり、従来の同熱容量の装置に比べて格段に小型化を図ることができる。【００１１】  また、前記中空状加熱筒体をフレキシブルな構造にしたり、前記中空状加熱筒体を螺旋状にかつ多重に配置したりすることにより、さらなる小型化が図れて、運搬性や作業性にも優れた装置構造にすることができる。
【考案を実施するための最良の形態】
【００１２】  以下に、本考案の好適な一実施形態を図面に基づいて説明する。【００１３】  図１は本考案の好適な一実施形態である融雪／融氷装置の全体を示す斜視図、図２は本融雪／融氷装置における要部を示す断面図、図３は本融雪／融氷装置におけるノズル体と関連部材を示す斜視図、図４は本融雪／融氷装置における加熱筒体と中空状加熱筒体を示す横断面図、図５は本融雪／融氷装置における加熱筒体と中空状加熱筒体を示す縦断面図である。【００１４】  図において、１は鉄板材からなり表面がメラミン焼付塗装された装置外装本体、２は、装置外装本体１内部に真空状にした空間層３を介在して設置され、鉄板材からなり内部が超天然セラミック粉体塗装された燃焼室本体、４は燃焼室本体２内の上部に区画形成された湯沸室、５は燃焼室本体２内の下部に区画形成された加熱室、６は、加熱室５内に横に配され、一端部が装置外装本体１から外部に突出してバーナー受け部７となる加熱筒体、８は、加熱筒体６の周部に螺旋状に配され、加熱筒体６の熱を受ける中空状加熱筒体であり、中空状加熱筒体８は鋼鉄製のフレキシブル構造になっており、また加熱筒体６と中空状加熱筒体８は超天然セラミック粉体塗装が施されている。【００１５】  装置外装本体１には、突出部に空気取入孔が形成されているバーナー受け部７と、加熱室５に連結して排気を行う電動ファン１０が設けられた排気管体１１と、中空状加熱筒体８の排気管部１２と、装置外装本体１の各横側壁に複数個設けられて、湯沸室４内へ水を供給し、かつ熱湯を外部に取り出すための蛇口部１３と、下壁に複数のストッパー付きのキャスター１４が設けられている。【００１６】  図１に示すように、加熱筒体６のバーナー受け部７には、加熱室５内の加熱筒体６へジェット炎（噴出炎）を噴出する燃焼源としてのバーナー体１５が着脱可能に設置され、装着状態にてジェット炎を加熱筒体６へ送り込むことができるようになっている。【００１７】  蛇口部１３には、図３に示すノズル装置１６が設けられる。ノズル装置１６は、圧力付加用のモータポンプ１７を備え、蛇口部１３に嵌合される湯口管１８と、モータポンプ１７の送り口に一端が設けられ、他端にエアガン構造のノズル体１９が設けられた耐熱性プラスチックなどからなる送湯管としてのパイプ２０とからなる。図３において、２１はパイプ２０の巻取り器である。【００１８】  図５に示すように、加熱筒体６と中空状加熱筒体８とは、鉄製の連結部材２１にて複数箇所を連結固定している。中空状加熱筒体８はフレキシブル構造であるので、装置仕様に合せて伸縮使用および設置が可能である。【００１９】  また、中空状加熱筒体８は、加熱筒体６に螺旋状にかつ多重に配置することも考えられる。【００２０】  使用時には、湯沸室４に水を貯蔵しておき各部を動作オンにし、バーナー体１５の炎噴出口をバーナー受け部７に装着して着火する。これにより、ジェット炎が加熱筒体６へ送り込まれ、火炎により加熱筒体６が加熱され、かつ中空状加熱筒体８も加熱される。この加熱により加熱室５が昇温して、湯沸室４内の水を加熱して熱湯とする。【００２１】  熱湯の温度をセンサにて監視しておき、適当な温度になった時点で、ノズル装置１６のモータポンプ１７���オンさせる。すると、熱湯が加圧状態になってパイプ２０を介してエアガン構造のノズル体１９から噴出する。この加圧熱湯を雪あるいは氷に対して噴射することにより融雪／融氷が確実かつ容易に行われることになる。【００２２】  上述したように、本実施形態では、燃焼源としてジェット炎を噴出するバーナー体１５を使用し、このジェット炎にて加熱筒体６と、加熱筒体６に螺旋状に配された中空状加熱筒体８を加熱して、湯沸室４内全体の水を加熱する構造であるため、即座に無駄なく効率的に湯沸室４内の水を加熱することができる。【００２３】  さらに、燃焼室本体２，加熱筒体６，中空状加熱筒体８をセラミックス粉末により覆ったことにより、遠赤外線による加熱効果が得られるため、湯沸室４内全体の水を、より即座に無駄なく効率的に加熱できることになり、従来の同熱容量の装置に比べて格段に小型化を図ることができる。【００２４】  また、中空状加熱筒体８をフレキシブルな構造にしたり、中空状加熱筒体８を螺旋状にして多重に配置したりすることにより、さらなる小型化が図れ、運搬性や作業性にも優れた装置構造にすることができる。
【産業上の利用可能性】
【００２５】  本考案の融雪／融氷装置は、多様な展開を図ることが可能であり、融雪／融氷が確実かつ容易に行われるため、道路、あるいは一般家屋などの融雪の際に用いて有効である。
【図面の簡単な説明】
【００２６】
【図１】本考案の好適な一実施形態である融雪／融氷装置の全体を示す斜視図である。
【図２】本実施形態の融雪／融氷装置における要部を示す断面図である。
【図３】本実施形態の融雪／融氷装置におけるノズル体と関連部材に関する構造を示す斜視図である。
【図４】本実施形態の融雪／融氷装置における加熱筒体と中空状加熱筒体を示す横断面図である。
【図５】本実施形態の融雪／融氷装置における加熱筒体と中空状加熱筒体を示す縦断面図である。
【符号の説明】
【００２７】２  燃焼室本体
４  湯沸室
５  加熱室
６  加熱筒体
７  バーナー受け部
８  中空状加熱筒体
１５  バーナー体
１６  ノズル装置
１７  モータポンプ
１９  エアガン構造のノズル体
２０  パイプ
【図１】
0003137552.tif 000003
【図２】
0003137552.tif 000004
【図３】
0003137552.tif 000005
【図４】
0003137552.tif 000006
【図５】
0003137552.tif 000007